(57)【要約】【課題】  犬の衣服に関して、従来のよう四肢を持ち上げる等の無理な体勢での着衣が必要な衣服では、犬自体がその無理な体勢に不快感を持ち、なかなか着衣出来ない。また、マントの様な形状をした四肢を持ち上げる等の無理な体勢での着衣が不要な衣服では、十分に体を覆うことが出来ず、衣服として意味が無くなってしまう。この着衣の容易性と衣服の機能性が両立できていないという問題を解決することを課題とする。【解決手段】  着衣の容易性と衣服の機能性が両立するために、現在市販されている人間のＴシャツと同様の立体的な形状をした衣服構造ではなく、衣服を一枚の平面な形状とし、立たせた犬にこの衣服を覆い、ファスナーを閉め、面ファスナーを固定することで、十分に犬を覆うことの出来る衣服が形成される構造にする。【選択図】  図１
2007282577.tif 000002
【特許請求の範囲】
【請求項１】
上半身部に首の曲面に合わせて襟部円弧縁を設け、襟部を形成する。また、その襟部円弧縁に連続して両側に広がる胸部直線縁にファスナーを設け、胸部直線縁のファスナーを閉じることにより、胸部が形成される。胸部形成時、前面から見た時に胸部の下部が縦に細長い円弧状の前垂れ形状をしており、この前垂れの縁を含む前足縁は、２本の前足の後ろを回り、同時に前足を出すことの出来る穴を形成する。この前足縁の前垂れ先端付近の裏面には、胸部面ファスナーを設けて、この前足縁の前垂れを前足間に通して、腹部の前足側表面に設けた腹部面ファスナーへ固定することで、衣服の上半身部を形成する。また、胸部面ファスナーを腹部面ファスナーに固定することで前足袖を形成して、この前足袖の穴より前足が出る形となる。下半身部の形成は、前足縁より下半身部縁まで生地に切り込みを入れる様な形で、その両縁にファスナーを設けて胴体直線縁を形成する。これにより、犬の胴体を胴体直線縁間から挿入して、胴体に対して生地を覆い、このファスナーを閉じることにより、衣服の下半身部が形成される。これらの構造を有し、展開時衣服を一枚の平面な形状とすることを特徴とする犬の衣服。
【請求項２】
下半身部の形成を簡単にするため、胴体直線縁を形成する前足縁より下半身部縁までの生地への切り込み方法を、一方の前足付け根付近より犬の背を通り、その前足の対角となる後ろ足付近へとする。このことを特徴とする請求項１の犬の衣服。
【発明の詳細な説明】
【技術分野】
【０００１】
本発明は、犬の衣服に関するものであり、衣服を一枚の平面な形状とすることにより、犬の四肢を持ち上げる等の無理な体勢での着衣が不要となり、立たせた犬にこの衣服を覆い、ファスナーを閉め、面ファスナーを固定することで簡単に着衣が出来るようにしたものである。
【背景技術】
【０００２】
現在犬の衣服として、人間のＴシャツ形状をした立体的で犬の四肢を持ち上げる等の無理な体勢での着衣が必要な衣服、マントの様な形状をした平面的で犬の四肢を持ち上げる等の無理な体勢での着衣が不要であるが、完全に犬の体を覆うことの出来ない衣服、及び構造が複雑で着衣に非常に手間がかかる衣服が利用されている。この例として、特許文献１〜２４に開示されているものがある。
【特許文献１】特願平０７−１９５８７５号公報
【特許文献２】特願平０８−１０６０３７号公報
【特許文献３】特願平０９−０５３７５０号公報
【特許文献４】特願平１０−０３３８７９号公報
【特許文献５】特願平１１−０５８６９６号公報
【特許文献６】特願平１１−２３５５９２号公報
【特許文献７】特願２００１−１２５０３４号公報
【特許文献８】特願２００１−３７７７２９号公報
【特許文献９】特願２００３−００６５９１号公報
【特許文献１０】特願２００３−１５３５３６号公報
【特許文献１１】特願２００３−２８０５８２号公報
【特許文献１２】実願昭４８−０１８７８１号公報
【特許文献１３】実願昭６０−１１３３４６号公報
【特許文献１４】実願昭６０−１７７２７６号公報
【特許文献１５】実願昭６２−１５５８４１号公報
【特許文献１６】実願平０２−１１３７２２号公報
【特許文献１７】実願平０３−０５６８１６号公報
【特許文献１８】実願平０４−０９０６５８号公報
【特許文献１９】実願平０６−０１０３７７号公報
【特許文献２０】実願平０８−００３１８５号公報
【特許文献２１】実願２００３−２７３６５１号公報
【特許文献２２】実願２００５−００５６６２号公報
【特許文献２３】実願２００５−００７９１９号公報
【特許文献２４】実願２００５−００８２２２号公報
【発明の開示】
【発明が解決しようとする課題】
【０００３】
図１２に示す現在市販されている人間のＴシャツ形状をした立体的で犬の四肢を持ち上げる等の無理な体勢での着衣が必要な衣服では、犬自体がその無理な体勢に不快感を持ち、なかなか着衣出来ないことがある。さらに、そのような状態で着衣しようとすると、四肢の関節を痛めてしまうことが懸念される。また、マントの様な形状をした平面的で犬の四肢を持ち上げる等の無理な体勢での着衣が不要であるが、完全に犬の体を覆うことの出来ない衣服では、汚れからの非保護、及び皮毛の飛散等の問題が発生して衣服として十分な意味を持たなくなり、着衣の容易性のみが重視され、機能性が後回しとなってしまう。本発明は、これらの相反する性質である着衣の容易性と衣服の機能性が、両立できていないという問題を解決することを課題とする。
【課題を解決するための手段】
【０００４】
この課題を解決するための請求項１の発明は、図２に示すように衣服を一枚の平面な形状とし、立たせた犬にこの衣服を覆い、ファスナーを閉め、面ファスナーを固定することで、十分に犬を覆うことの出来る衣服が形成される構造にする。
【０００５】
また、請求項２の発明は、下半身部５の形成を簡単にするために、胴体直線縁２aを形成する前足縁４bより下半身部縁５aまでの生地への切り込み方法を、図５・６・７に示すように一方の前足付け根付近より犬の背を通り、その前足の対角となる後ろ足付近へとする。
【発明の効果】
【０００６】
図２に示すように衣服を一枚の平面な形状とすることで、犬の四肢を持ち上げる等の無理な体勢での着衣が不要となり、立たせた犬にこの衣服を覆い、ファスナーを閉め、面ファスナーを固定することで簡単に着衣が出来る。また、図１に示すように頭部と四肢と尻尾以外の部分を完全に覆う形となるので、図１２に示す現在市販されている人間のＴシャツ形状をした立体的な衣服と同程度に汚れからの保護、及び皮毛の飛散抑制等の衣服として十分な機能が得られる。このように図２に示す衣服では、衣服としての機能性を保ったままで、着衣の容易性を向上出来る。
【０００７】
さらに、前足縁４bより下半身部縁５aまでの生地への切り込み方法を、図５・６・７に示すように一方の前足付け根付近より犬の背を通り、その前足の対角となる後ろ足付近へとすることで、人の腕が一回の動作で届く範囲となり、簡単なファスナーの開閉が可能となり、着衣の容易性が一層向上する。また、犬の体にフィットした衣服の場合、生地にかかる四方への伸縮力が犬の背を斜めに通るファスナーにより分散され、ファスナーの無伸縮性による生地に対する伸縮力の片よりがこの方法により減少する。この構造により、着衣時に着崩れ・ファスナー周辺の生地のヨレが減少し、衣服として見栄えが良くなる。
【実施例】
【０００８】
図２に示すように衣服を一枚の平面な形状とし、上半身部２に首の曲面に合わせて襟部円弧縁３aを設け、襟部３を形成する。また、その襟部円弧縁３aに連続して左右に広がる胸部直線縁４aにファスナーを設け、図４に示すように胸部直線縁４aのファスナーを閉じることにより、胸部４が形成される。胸部４形成時、前面から見た時に胸部４の下部が縦に細長い円弧状の前垂れ４c形状をしており、図８に示すようにこの前垂れ４cの縁を含む前足縁４bは、２本の前足の後ろを回り、同時に前足を出すことの出来る穴を形成する。図１１に示すようにこの前足縁４bの前垂れ４c先端付近の裏面には、胸部面ファスナーＡを設けて、この前足縁４bの前垂れ４cを前足間に通して、腹部１の前足側表面に設けた腹部面ファスナーＢへ固定することで、衣服の上半身部２を形成する。また、胸部面ファスナーＡを腹部面ファスナーＢに固定することで前足袖Ｃを形成して、この前足袖Ｃの穴より前足が出る形となる。下半身部５の形成は、図３に示すように前足縁４bより下半身部縁５aまで生地に切り込みを入れる様な形で、その両縁にファスナーを設けた胴体直線縁２aを形成する。これにより、犬の胴体を胴体直線縁２a間から挿入して、胴体に対して生地を覆い、このファスナーを閉じることにより、衣服の下半身部５が形成され、最終的に図１に示すような形で犬の衣服となる。
【０００９】
下半身部５の形成を簡単にするために、胴体直線縁２aを形成する前足縁４bより下半身部縁５aまでの生地への切り込み方法を、図５・６・７に示すように一方の前足付け根付近より犬の背を通り、その前足の対角となる後ろ足付近へとする。
【００１０】
本発明に係る犬の衣服の生地材料は、麻・綿・絹・ウール・ポリエステル・ナイロン・発泡ゴム・防水繊維・高吸水繊維・速乾繊維等の平面の生地で裁断加工できるものであれば、何でも良い。また、ファスナー・面ファスナーについても紐・ボタン・フック・マグネット等の開閉または結合できるものであれば何でも良い。
【産業上の利用可能性】
【００１１】
本発明に係る犬の衣服は、工業的に量産する事が可能であるため、産業上の利用可能性を有する。
【図面の簡単な説明】
【００１２】
【図１】本発明の衣服を犬に着せた時の外観図である。
【図２】犬の衣服を展開した時の平面図である。
【図３】前足縁の前垂れを固定せず、胴体縁のファスナーを閉じていない右側面図である。
【図４】前足縁の前垂れを固定していない前面図である。
【図５】前足縁の前垂れを固定していない左側面図である。
【図６】前足縁の前垂れを固定していない右側面図である。
【図７】前足縁の前垂れを固定していない上面図である。
【図８】前足縁の前垂れを固定していない下面図である。
【図９】前足縁の前垂れを固定した前面図である。
【図１０】前足縁の前垂れを固定した上面図である。
【図１１】前足縁の前垂れを固定した下面図である。
【図１２】現在市販されている立体的な衣服を犬に着せた時の外観図である。
【符号の説明】
【００１３】
１    腹部
２    上半身部
３    襟部
４    胸部
５    下半身部
２a   胴体直線縁
３a   襟部円弧縁
４a   胸部直線縁
４b   前足縁
４c   前垂れ
５a   下半身部縁
Ａ    胸部面ファスナー
Ｂ    腹部面ファスナー
Ｃ    前足袖
【図１】
2007282577.tif 000003
【図２】
2007282577.tif 000004
【図３】
2007282577.tif 000005
【図４】
2007282577.tif 000006
【図５】
2007282577.tif 000007
【図６】
2007282577.tif 000008
【図７】
2007282577.tif 000009
【図８】
2007282577.tif 000010
【図９】
2007282577.tif 000011
【図１０】
2007282577.tif 000012
【図１１】
2007282577.tif 000013
【図１２】
2007282577.tif 000014